(57)【要約】【課題】エスカレータに乗る乗客とエスカレータから降りる乗客にそれぞれ別々の内容の表示を同時に行うことができるマンコンベア用の乗降口装置を提供する。【解決手段】マンコンベアＥの乗降口の機械室ＭＬの上を覆う乗降口カバー７に形成されたマンホール７ａに表示装置５が填め込まれたマンコンベアの乗降口装置であって、上記表示装置５が、上記乗降口カバー７の面に対して角度を付けた表示面又はスリットと表示シートの組み合わせによりマンコンベアへ乗る側とマンコンベアから降りる側へ内容の異なる表示を同時に行う表示ユニット１と、上記マンホールに固定され上記表示ユニットを着脱可能に収納する上面が透明又は半透明の保護筐体３と、からなる。【選択図】図１
2006036384.tif 000002
【特許請求の範囲】
【請求項１】
マンコンベアの乗降口の機械室の上を覆う乗降口カバーに形成されたマンホールに表示装置が填め込まれたマンコンベアの乗降口装置であって、上記表示装置が、上記乗降口カバーの面に対して角度を付けた表示面又はスリットと表示シートの組み合わせによりマンコンベアへ乗る側とマンコンベアから降りる側へ内容の異なる表示を同時に行う表示ユニットと、上記マンホールに固定され上記表示ユニットを着脱可能に収納する上面が透明又は半透明の保護筐体と、からなることを特徴とするマンコンベアの乗降口装置。
【請求項２】
上記表示ユニットが、マンコンベアの乗降客の移動方向に沿って並べてかつそれぞれ上記移動方向に対して垂直の方向に延びるように設けられ、上記マンコンベアへ乗る側又はマンコンベアから降りる側から見える方向に向けられた少なくとも１つの表示面を有する複数の細長い表示体を設け、上記複数の表示体のそれぞれ少なくとも１つの表示面により上記マンコンベアへ乗る側及びマンコンベアから降りる側へ表示を行うことを特徴とする請求項１に記載のマンコンベアの乗降口装置。
【請求項３】
上記複数の表示体が、おもてと裏の２つの表示面を有する板状表示体、長手方向に垂直な断面が正三角形となる３つの表示面を有する３面表示体及び長手方向に垂直な断面が正方形となる４つの表示面を有する４面表示体のいずれかの組からなり、上記表示ユニットが上記いずれか１組の表示体、および上記各表示体をそれぞれ表示面が上記マンコンベアへ乗る側及びマンコンベアから降りる側の少なくとも一方に向けられる角度に長手方向の中心軸周りに回転させる表示体回転駆動機構を一体に備えたことを特徴とする請求項２に記載のマンコンベアの乗降口装置。
【請求項４】
上記各表示体が、表示体本体と、この表示体本体に着脱可能であってそれぞれ表示面を有する複数の表示板とからなることを特徴とする請求項２又は３に記載のマンコンベアの乗降口装置。
【請求項５】
上記表示ユニットが、マンコンベアの乗降客の移動方向に対して垂直の方向に延びるスリットを有するスリット板と、このスリット板の下側に設けられ、スリット板の各スリットを通して上記マンコンベアへ乗る側及びマンコンベアから降りる側へそれぞれの表示が同時に見えるように、上記移動方向に上記スリットの間隔に合わせて分割されて表示内容が描かれた表示シートと、を一体に備えたことを特徴とする請求項１に記載のマンコンベアの乗降口装置。
【請求項６】
上記表示ユニットが、上記表示シートに上記マンコンベアへ乗る側及びマンコンベアから降りる側のための複数組分の表示内容が描かれ、表示内容を切り替えるために上記スリット板に対して上記表示シートを移動させる表示シート巻取り駆動機構をさらに一体に備えたことを特徴とする請求項５に記載のマンコンベアの乗降口装置。
【請求項７】
エスカレータの駆動制御に基づくエスカレータ制御盤からの駆動信号に従って上記表示体回転駆動機構又は表示シート巻取り駆動機構が駆動することを特徴とする請求項３又は６に記載のマンコンベアの乗降口装置。
【請求項８】
マンコンベアの乗降口の機械室の上を覆う乗降口カバーに形成されたマンホールに表示装置が填め込まれたマンコンベアの乗降口装置であって、上記表示装置が、上記乗降口カバーの面に対して角度を付けた電気的に表示内容が変更可能な表示板又はスリットと電気的に表示内容が変更可能な表示板によりマンコンベアへ乗る側とマンコンベアから降りる側へ内容の異なる表示を同時に行う表示ユニットと、上記マンホールに固定され上記表示ユニットを着脱可能に収納する上面が透明又は半透明の保護筐体と、からなることを特徴とするマンコンベアの乗降口装置。
【発明の詳細な説明】
【技術分野】
【０００１】
この発明はエスカレータやほぼ水平方向に移動するいわゆる動く歩道等のマンコンベアの乗降口装置、特にマンコンベアの運転方向やその他の情報の表示を行う表示装置を設けたものに関する。
【背景技術】
【０００２】
マンコンベアである例えばエスカレータにおけるこの種の表示装置として従来、表示内容が印刷された透明又は半透明体の裏面より照明器具により光を照射して表示内容を浮き上がらせるようにした表示装置(例えば特許文献１参照)や、滑り止め機能も備えた所望の表示を行う発光表示装置からなる表示装置(例えば特許文献２参照)を、乗降口カバー(床面)に埋設したものがあった。
【０００３】
【特許文献１】実開昭６２−１５０４７８号公報
【特許文献２】特開平９−３２３８８０号公報
【発明の開示】
【発明が解決しようとする課題】
【０００４】
以上のような従来のこの種のマンコンベア用の乗降口装置に設けられた表示装置は、例えば上記特許文献１の装置の場合には、表示内容が固定であった。また上記特許文献２の装置の場合には、表示内容は可変であるが、エスカレータに乗る客とエスカレータから降りる客にそれぞれ別々の内容の表示を同時に行うことはできなかった。このことは上記特許文献１についても同様である。
【０００５】
この発明は、エスカレータに乗る乗客とエスカレータから降りる乗客にそれぞれ別々の内容の表示を同時に行うことができ、かつその表示内容の切り替えも可能な表示装置を備えたマンコンベア用の乗降口装置を提供することを目的とする。
【課題を解決するための手段】
【０００６】
この発明は、マンコンベアの乗降口の機械室の上を覆う乗降口カバーに形成されたマンホールに表示装置が填め込まれたマンコンベアの乗降口装置であって、上記表示装置が、上記乗降口カバーの面に対して角度を付けた表示面又はスリットと表示シートの組み合わせによりマンコンベアへ乗る側とマンコンベアから降りる側へ内容の異なる表示を同時に行う表示ユニットと、上記マンホールに固定され上記表示ユニットを着脱可能に収納する上面が透明又は半透明の保護筐体と、からなることを特徴とするマンコンベアの乗降口装置にある。
【発明の効果】
【０００７】
この発明では、エスカレータに乗る乗客とエスカレータから降りる乗客にそれぞれ別々の内容の表示を同時に行うことができ、かつその表示内容の切り替えも行える。
【発明を実施するための最良の形態】
【０００８】
以下、この発明を各実施の形態に従って説明する。
【０００９】
実施の形態１．
図１はこの発明の一実施の形態によるマンコンベア用の乗降口装置の組立てを説明するための図である。マンコンベアであるエスカレータＥの乗降口の下側にあるエスカレータ制御盤９等が設置されている機械室ＭＬ上部を覆う床面となる乗降口カバー７には、マンホール７ａが形成されており、このマンホール７ａに表示装置５が填め込まれている。この表示装置５は表示ユニット１と、マンホール７ａにネジ等(図示せず)により固定され表示ユニット１を着脱可能に収納する保護筐体３からなる。この保護筐体３は上面に例えば強化ガラスや、表面に傷がつき難いように保護膜をコーティングした強化プラスチックや強化アクリル板等からなる透明又は半透明の開閉自在の蓋３ａを有する。表示ユニット１は、表示ユニット筐体１ａ内にエスカレータＥへ乗る側及びエスカレータＥから降りる側に同時にそれぞれ異なる表示を行うための表示体(図２参照)等が一体に格納されて構成されている。
【００１０】
図２に表示ユニット筐体１ａ内の構成の一例を部分的に示す。図２の(ａ)は上面図、(ｂ)は側面図である。図２に示すように筐体１ａ内には、細長い表示体１１がエスカレータＥの乗降客の移動方向に沿うように並べてかつそれぞれ上記移動方向に対して垂直の方向が長手方向になるように設けられている。各表示体１１の両側は表示体１１が長手方向に延びる中心軸を中心に回転可能なように支持部材１２で支持され、さらに各表示体１１の両端にはギア１１ａがそれぞれ固着されていて、噛合するラック１３により各表示体１１が同一方向に同一角度分回転するようにされている。そしてモータ１６の回転がギア１４ａ、１４ｂを有する駆動軸１４を伝わり、駆動軸１４の両端のギア１４ｂに噛合するラック１３が駆動されて各表示体１１が回転する。表示制御部１５は例えばスイッチ１７の操作に従ってモータ１６を駆動制御して各表示体１１の回転位置を制御(予め設定された回転位置に制御)して、各表示体１１の表示面がエスカレータＥへ乗る側と降りる側へ向いてそれぞれの内容の表示を同時に行えるようにする。なお、ギア１１ａ、支持部材１２、ラック１３、ギア１４ａ、１４ｂを含む駆動軸１４、表示制御部１５、モータ１６が表示体回転駆動機構を構成する。
【００１１】
図３の(ａ)には表示体１１の一例である、長手方向に垂直な断面が正方形となる４つの表示面を有する４面表示体１１１の拡大図を示す。４面表示体１１１は、表示体本体１１２とこの表示体本体１１２に取り付けられるそれぞれ表示面１１３ａを有する４枚の表示板１１３とからなる。この４枚の表示板１１３はそれぞれ図３の(ｂ)に示すように個々に例えばマグネット１１３ｂ(図３の(ａ)参照)により着脱可能に設けられている。そして表示制御部１５のスイッチ１７の操作により、図３の(ｂ)に示すように各４面表示体１１１を、２つの表示板１１３の表示面が乗降口カバー７である床面に対して互いに反対側に角度４５°をなすように回転位置を制御することにより、各４面表示体１１１のａ側の表示板１１３により例えばエスカレータＥへ乗る側への表示が行え、ｂ側の表示板１１３によりエスカレータＥから降りる側への表示が行える。
【００１２】
具体的な表示例として、例えば図４の(ａ)に示すようにエスカレータＥの運転方向が図示の矢印の方向であり、乗降客の移動方向に沿って並べられた表示装置５中の表示体の偶数番目をエスカレータＥへ乗る側への表示(視点Ａ)、奇数番目をエスカレータＥから降りる側への表示(視点Ｂ)にそれぞれ割り当てた場合、エスカレータＥへ乗る側への表示は図４の(ｂ)のようになりエスカレータＥに乗れないことを表示し、エスカレータＥから降りる側への表示は図４の(ｃ)のようになり３階(３Ｆ)から２階(２Ｆ)へ到着したことを表示する。
【００１３】
また図３の(ｂ)において、この状態から各４面表示体１１１を角度１８０°回転させるように制御すれば、図３の(ｂ)のｃ，ｄ側の表示板１１３により同様にして両側にそれぞれの表示が行われる。さらに表示内容を工夫することにより、角度９０°、２７０°の回転位置でも同様にして表示を行うことができる。これにより表示板１１３の付け替え無しに表示内容の変更が行える。
【００１４】
なお、これらの間の角度４５°、１３５°、２２５°、３１５°の回転位置では全ての表示体１１１のそれぞれ４つのうちの１つの表示面１１３ａが真上を向いた１種類の表示となる。
【００１５】
また図２の表示体回転駆動機構による表示内容の変更制御のその他の方法として、図５の(ａ)に示すように表示ユニット１の表示制御部１５に赤外線受信部１８を設け、リモコン２により赤外線を使用した遠隔制御を行うようにしてもよい。また、図５の(ｂ)に示すように機械室内のエスカレータ制御盤９からのエスカレータの駆動制御に基づく駆動信号１９を表示制御部１５に送って表示内容変更制御を行うようにしてもよい。この場合、エスカレータの運転方向や運転制御におけるタイマの信号等に従った駆動信号により、エスカレータの運転方向や時間帯に連動した表示内容変更が行える。さらにまた、表示制御部１５にタイマ(図示せず)を内蔵させて、このタイマからの信号による制御を行ってもよく、さらには表示制御部１５、モータ１６等は設けずに直接、手動で表示体１１の角度を変えるようにしてもよい。
【００１６】
さらに表示内容を変更する場合には、保護筐体３から表示ユニット１ごと取り出して、外部で表示板１１３の付け替えを行うことができる。さらに図２の支持体１２を、例えば表示体１１の回転軸を回転可能に受ける溝等を上方が開いたものにして表示体１１を着脱可能なものにすれば、表示体１１自体を表示ユニット１から取り外して表示板１１３の付け替えを行うことができる。
【００１７】
また表示体回転駆動機構は必ず必要なものではなく、表示板１１３の付け替えだけで表示内容の変更を行ってもよく、その場合には各表示体１１に角度の異なる表示板が２つあればよく、表示体１１は必ずしも４面表示体である必要はない。
【００１８】
なお上記説明では表示体１１として４面表示体１１１を説明したが、図６に示すような長手方向に垂直な断面が正三角形となる３つの表示面を有する３面表示体１１１ａ、図７に示すようなおもてと裏の２つの表示面を有する板状表示体１１１ｂを使用してもよい。図６，７において(ａ)は斜視図、(ｂ)は側面図である。３面表示体１１１ａおよび板状表示体１１１ｂの基本的構造は図３で説明した４面表示体１１１と基本的に同じであり、表示体本体に３枚あるいは２枚のそれぞれ表示面を有する表示板(特に個々には図示せず)が着脱可能に取り付けられたものであり、表示体本体の形状と表示板の枚数が異なる。
【００１９】
図６の３面表示体１１１ａでは回転角度１２０°毎にエスカレータＥへ乗る側と降りる側へのそれぞれの表示が行え、これらの間の中間角度(例えば０°と１２０°の間の６０°)では、１つの表示面が真上を向いた１種類の表示となる。また、図７の板状表示体１１１ｂの場合には、乗降口カバー７である床面と垂直な角度から両側にそれぞれ４５°傾けたものが乗降客の移動方向に沿って例えば交互に並ぶように角度制御することにより、エスカレータＥへ乗る側と降りる側へのそれぞれの表示が行え、また、この状態からそれぞれの板状表示体１１１ｂを９０°回転させる度に表示内容の変更が行える。さらに全ての板状表示体１１１ｂのおもて又は裏の表示面が真上を向いた場合にはそれぞれ１種類の表示となる。なお、図６、図７の場合、表示体の回転によりエスカレータＥへ乗る側と降りる側へのそれぞれの表示を切り替えるには表示内容を工夫する必要がある。
【００２０】
なお以上の実施の形態の場合、表示制御部１５、モータ１６を使用しなければ電力は不要なため、省エネに極めて効果的である。
【００２１】
実施の形態２．
図８はこの発明の別の実施の形態によるマンコンベア用の乗降口装置の表示ユニット筐体内の構成を示す側面図である。この実施の形態では、表示ユニットの表示ユニット筐体(図１の１ａ参照)に、エスカレータの乗降客の移動方向に対して垂直の方向に延びるスリット２０ａを有するスリット板２０と、このスリット板２０の下側に設けられ、スリット板２０の各スリット２０ａを通してエスカレータへ乗る側及びマンコンベアから降りる側へそれぞれの表示が同時に見えるように、移動方向にスリットの間隔に合わせて分割されて表示内容が描かれた表示シート２１と、表示シート２１を支持する支持台２２を備える。表示シート２１の塗り潰して示された領域２１Ａは例えばエスカレータＥへ乗る側(視点Ａ)への表示のための領域、斑点で示された領域２１ＢはエスカレータＥから降りる側(視点Ｂ)への表示のための領域を示す。
【００２２】
そしてさらに、表示シート２１を巻取る巻取りローラ２３、ベルト１６ａにより巻取りローラ２３を回転駆動するモータ１６、このモータ１６を駆動制御する表示制御部１５、そして支持台２２を後方から照らすバックライト２５を備える。バックライト２５は必要に応じて設ける。巻取りローラ２３、モータ１６及び表示制御部１５は、表示シート２１にエスカレータへ乗る側及び降りる側のための複数組分の表示内容が描かれている場合に、表示内容を切り替えるためにスリット板２０に対して表示シート２１を移動させる表示シート巻取り駆動機構を構成する。そして表示制御部１５は、モータ１６を駆動制御して巻取りローラ２３の回転回数及び回転位置を制御(予め設定された回転回数とそこにおける回転位置に制御)して、表示内容を切り替えてエスカレータへ乗る側と降りる側へそれぞれの内容の表示を同時に行えるようにする。
【００２３】
巻取りローラ２３はスリット板２０の左側端にもあり(図示省略)、さらに表示シート２１を矢印で示す両方に移動させるには、２つの巻取りローラ２３を同期させて回転させるために、これらを連結するベルト等の機構(図示せず)を設けるか、或いは左側端の巻取りローラ２３にもモータ１６を設けて２つのモータ１６を連動させる。なお、スリット板２０は表示ユニットの上蓋とすることができる。
【００２４】
また表示シート巻取り駆動機構による表示内容の変更の方法は上記実施の形態の図２、図５で説明したのと同様に、表示制御部１５に設けられたスイッチ操作、リモコンを使用した赤外線、エスカレータ制御盤９からのエスカレータの駆動制御に基づく駆動信号、表示制御部１５に内蔵されたタイマからの信号等によるものがある。また、巻取りローラ２３さらには表示シート２１を直接手動で移動させてもよく、その場合には表示シート巻取り駆動機構は不要となる。さらにエスカレータのへ乗る側及びマンコンベアから降りる側のための１組分のみの表示内容が描かれた表示シート２１を使用する場合には、表示シート２１をそのまま取り替えればよく、その場合には巻取りローラ２３も不要となる。
【００２５】
実施の形態３．
なお上記実施の形態１では、図３、図６の表示体１１１、１１１ａ、１１１ｂの表示板１１３の表示内容そのものは固定であったが、これらの表示板１１３を電気的に表示内容が変更可能な電光表示板や液晶表示板からなる表示板で構成することで、表示体１１１、１１１ａ、１１１ｂの回転や表示板１１３の取り替え無しに、各表示体の各表示板の表示内容制御を行うだけで、エスカレータへ乗る側と降りる側へ内容の異なる表示を同時に行い、かつその表示内容を変更することが可能となる。また同様に上記実施の形態２では、図８の表示シート２０の表示内容そのものは固定であったが、表示シート２０を電気的に表示内容が変更可能な電光表示板や液晶表示板からなる表示板で構成し、スリット板の各スリットを通してエスカレータへ乗る側と降りる側でそれぞれの表示が同時に見えるように、スリットの間隔に合わせて分割された表示を行うことで、表示シート２０に変わる表示板の移動や取り替え無しに、表示板の表示内容制御を行うだけで、エスカレータへ乗る側と降りる側への所望の表示を行い、かつその表示内容を変更することが可能となる。なおこれらの場合には、表示制御部１５は表示板の表示制御部に置き換わる。また表示板は表示体本体から着脱可能である必要はなく、さらに表示体回転駆動機構、表示シート巻取り駆動機構は当然不要となる。
【図面の簡単な説明】
【００２６】
【図１】この発明の一実施の形態によるマンコンベア用の乗降口装置の組立てを説明するための図である。
【図２】図１の表示ユニット筐体内の構成の一例を部分的に示す図である。
【図３】図２の表示体の一例を説明するための図である。
【図４】この発明によるマンコンベア用の乗降口装置の表示内容の一例を示す図である。
【図５】この発明における表示内容の変更制御のその他の例を説明するための図である。
【図６】この発明における表示体のその他の例を示す図である。
【図７】この発明における表示体のさらに別の例を示す図である。
【図８】この発明の別の実施の形態によるマンコンベア用の乗降口装置の表示ユニット筐体内の構成を示す側面図である。
【符号の説明】
【００２７】
１  表示ユニット、１ａ  表示ユニット筐体、２  リモコン、３  保護筐体、３ａ  蓋、５  表示装置、７  乗降口カバー、７ａ  マンホール、９  エスカレータ制御盤、１１  表示体、１１ａ，１４ａ，１４ｂ  ギア、１２  支持体、１３  ラック、１４  駆動軸、１５  表示制御部、１６  モータ、１６ａ  ベルト、１７  スイッチ、１８  赤外線受信部、１９  駆動信号、２０  スリット板、２０ａ  スリット、２１  表示シート、２２  支持台、２３  巻取りローラ、２５  バックライト、１１１  ４面表示体、１１１ａ  ３面表示体、１１１ｂ  板状表示体、１１２  表示体本体、１１３  表示板、１１３ａ  表示面、１１３ｂ  マグネット、Ｅ  エスカレータ(マンコンベア)、ＭＬ  機械室。
【図１】
2006036384.tif 000003
【図２】
2006036384.tif 000004
【図３】
2006036384.tif 000005
【図４】
2006036384.tif 000006
【図５】
2006036384.tif 000007
【図６】
2006036384.tif 000008
【図７】
2006036384.tif 000009
【図８】
2006036384.tif 000010